(57)【特許請求の範囲】
【請求項１】
キャリアアグリゲーションにおける異なるＴＤＤ構成をサポートする方法であって、
ＬＴＥシステム中、基地局が、ユーザー装置（ＵＥ）の第一周波数バンドにある第一セルに、第一時分割二重（ＴＤＤ）構成を形成する工程、
前記基地局が、前記ＵＥの第二周波数バンドにある第二セルに、前記第一ＴＤＤ構成と異なる第二ＴＤＤ構成を形成する工程、
前記基地局が、同時送受信時のバンド間干渉を回避しキャリアアグリゲーションのための前記第一周波数バンドと前記第二周波数バンド間の帯域間隔を決定する工程、
前記基地局が、前記キャリアアグリゲーションのための前記第一周波数バンドと前記第二周波数バンド間の前記帯域間隔を放送する工程、および
前記ＵＥからの、前記帯域間隔に基づく前記第一ＴＤＤ構成及び前記第二ＴＤＤ構成を有するキャリアアグリゲーションを前記ＵＥがサポートすることができるか否かの指示を前記基地局が受信する工程、
を含むことを特徴とする方法。
【請求項２】
前記帯域間隔は、ＬＴＥ規格で定義される帯域間隔要求に基づいて決定されることを特徴とする請求項１に記載の方法。
【請求項３】
前記帯域間隔は、システム情報ブロックにより、前記ＵＥに放送されることを特徴とする請求項１に記載の方法。
【請求項４】
前記帯域間隔は、異なるバンド組み合わせの集約バンドを示すルックアップテーブルにより、ＬＴＥ規格で定義されることを特徴とする請求項１に記載の方法。
【請求項５】
前記決定は、ＵＥ送受信能力に基づいて、集約バンドを決定する工程を含むことを特徴とする請求項１に記載の方法。
【請求項６】
さらに、前記第一ＴＤＤ構成のスイッチポイント周期性と、前記第二ＴＤＤ構成のスイッチポイント周期性とが同じになるように、前記基地局が前記ＵＥに、前記第一ＴＤＤ構成及び前記第二ＴＤＤ構成を設定することを特徴とする請求項１に記載の方法。
【請求項７】
キャリアアグリゲーションにおける異なるＴＤＤ構成をサポートする方法であって、
ＬＴＥシステム中、基地局が、ユーザー装置（ＵＥ）のプライマリーセル（ＰＣＥＬＬ）に、第一集合のアップリンクサブフレームに関連する第一時分割二重（ＴＤＤ）構成を形成する工程、
前記基地局が、前記ＵＥのセカンダリーセル（ＳＣＥＬＬ）に、第二集合のアップリンクサブフレームに関連する第二ＴＤＤ構成を形成する工程、および、
有効なＰＣＥＬＬとＳＣＥＬＬ ＴＤＤ構成結合を決定して、前記ＰＣＥＬＬが、前記ＳＣＥＬＬのHybrid Automatic Repeat Request （ＨＡＲＱ）フィードバックを伝送するアップリンクリソースを有する工程、
を含むことを特徴とする方法。
【請求項８】
前記第一集合のアップリンクサブフレームは、ＬＴＥ規格により規定されるＨＡＲＱフィードバックにスケジュールされ、且つ、前記第二ＴＤＤ構成が決定されて、前記第二集合のアップリンクサブフレームインデックスは、前記第一集合のアップリンクサブフレームインデックスのサブセットであることを特徴とする請求項７に記載の方法。
【請求項９】
前記ＰＣＥＬＬはＴＤＤ構成ゼロを採用し、且つ、ＨＡＲＱフィードバック伝送が、サブフレーム３とサブフレーム８で許可されることを特徴とする請求項７に記載の方法。
【請求項１０】
さらに、前記ＰＣＥＬＬのアップリンクリソース割り当てに従って、前記ＳＣＥＬＬに、ＨＡＲＱフィードバックを動的にスケジュールする工程を含むことを特徴とする請求項７に記載の方法。
【請求項１１】
キャリアアグリゲーションにおける異なるＴＤＤ構成をサポートする方法であって、
キャリアアグリゲーションを有するＬＴＥシステムにおいて、ユーザー装置（ＵＥ）により、基地局から能力調査を受信する工程、
ＵＥが、ＵＥ送受信能力に基づいて、複数のコンポーネントキャリアの異なるＴＤＤ構成のサポートにおけるＵＥ能力を決定する工程、
前記決定した前記ＵＥにサポートされる時分割二重（ＴＤＤ）構成を含むＵＥ能力情報を基地局に伝送する工程、および、
前記基地局から、複数のコンポーネントキャリアの前記ＵＥ能力情報に基づいて決定される異なるＴＤＤ構成を、前記ＵＥが受信する工程、
を含むことを特徴とする方法。
【請求項１２】
前記ＵＥ能力情報は、さらに、前記ＵＥによりサポートされるバンド組み合わせを含むことを特徴とする請求項１１に記載の方法。
【請求項１３】
前記ＵＥ能力情報は、ＵＥ−ＥＵＴＲＡ−能力情報素子により伝送されることを特徴とする請求項１２に記載の方法。
【請求項１４】
ハンドオーバ動作期間中、前記ＵＥは、ブロードキャストシステム情報ブロック（ＳＩＢ）中、または、移動度制御情報素子により、プライマリーセル（ＰＣＥＬＬ）の第一ＴＤＤ構成を受信することを特徴とする請求項１１に記載の方法。
【請求項１５】
前記ＳＣＥＬＬが追加される、または、修正される時、前記ＵＥは、ＲＲＣ接続再設定メッセージにより、前記第一ＴＤＤ構成と異なる、セカンダリーセル（ＳＣＥＬＬ）の第二ＴＤＤ構成を受信することを特徴とする請求項１１に記載の方法。
【請求項１６】
キャリアアグリゲーションにおける異なるＴＤＤ構成をサポートする方法であって、
キャリアアグリゲーションを有するＬＴＥシステムにおいて、基地局により、複数のコンポーネントキャリアの異なるＴＤＤ構成のサポートにおけるＵＥ能力の調査を含む能力調査をユーザー装置（ＵＥ）に伝送する工程、
前記基地局により、ＵＥ能力情報を受信し、前記ＵＥ能力情報が、前記ＵＥのサポートされる時分割二重（ＴＤＤ）構成を含む工程、および、
前記基地局により、複数のコンポーネントキャリアの異なるＴＤＤ構成を伝送し、前記異なるＴＤＤ構成が、受信された前記ＵＥ能力情報に基づいて決定される工程、
を含むことを特徴とする方法。
【請求項１７】
前記ＵＥ能力情報は、さらに、前記ＵＥによりサポートされるバンド組み合わせを含むことを特徴とする請求項１６に記載の方法。
【請求項１８】
前記ＵＥ能力情報は、ＵＥ−ＥＵＴＲＡ−能力情報素子により伝送されることを特徴とする請求項１７に記載の方法。
【請求項１９】
ハンドオーバ動作期間中、前記基地局は、ブロードキャストシステム情報ブロック（ＳＩＢ）中、または、移動度制御情報素子により、前記ＵＥのプライマリーセル（ＰＣＥＬＬ）の第一ＴＤＤ構成を伝送することを特徴とする請求項１６に記載の方法。
【請求項２０】
前記ＳＣＥＬＬが加えられる、または、修正される時、前記基地局は、ＲＲＣ接続再設定メッセージにより、前記第一ＴＤＤ構成と異なる、前記ＵＥのセカンダリーセル（ＳＣＥＬＬ）の第二ＴＤＤ構成を伝送することを特徴とする請求項１６に記載の方法。
【発明の詳細な説明】
【技術分野】
【０００１】
この出願は、２０１１年６月２１日に出願された“Systems and Methods for different TDD configurations in carrier aggregations”と題された米国特許仮出願番号６１／４９９３８２号から、合衆国法典第３５編第１１９条の下、優先権を主張するものであり、その内容は引用によって本願に援用される。
【０００２】
本発明は、無線通信システムに関するものであって、特に、キャリアアグリゲーションを有するＬＴＥシステムにおける時分割二重（ＴＤＤ）構成に関するものである。
【背景技術】
【０００３】
たとえば、３ＧＰＰロングタームエボリューション（ＬＴＥ／ＬＴＥ−Ａ）規格により規定される無線通信システムにおいて、ユーザー装置（ＵＥ）と基地局（ｅＮｏｄｅＢ）は、所定の無線フレームフォーマットに従った無線信号で搬送されるデータを送受信することにより、互いに通信する。一般に、無線フレームフォーマットは、一連の無線フレームを含み、各無線フレームは、同数のサブフレームと同じフレーム長さを有する。異なる二重化方法において、サブフレームは、アップリンク（ＵＬ）伝送、または、ダウンリンク（ＤＬ）受信を実行するように構成される。時分割二重（ＴＤＤ）は、無線信号の送受信を分離する時分割多重化のアプリケーションである。アップリンクとダウンリンクデータレートが非対称である場合、ＴＤＤは特に有用である。７個の異なるＴＤＤ構成がＬＴＥ／ＬＴＥ−Ａ中で提供されて、異なる周波数バンド上の異なるＤＬ／ＵＬ伝送速度をサポートする。特に、各無線フレームは１０個のサブフレームを含み、各サブフレームは、各ＴＤＤ構成において、アップリンクサブフレーム、または、ダウンリンクサブフレームとして定義される。
【０００４】
３ＧＰＰ ＬＴＥ／ＬＴＥ−Ａシステムにおいて、データスループットを向上させることが期待されるテクノロジーのひとつは、キャリアアグリゲーション（ＣＡ）で、複数のコンポーネントキャリア（ＣＣ）が集約されると共に、併せて、単一装置への又はからの送受信に用いられる。連続したキャリアアグリゲーションにおいて、周波数バンド中の二個以上の連続ＣＣが集約される。非連続キャリアアグリゲーションにおいて、二個以上の非連続ＣＣが集約される。非連続ＣＡにおいては、バンド内ＣＡとバンド間ＣＡがある。バンド内キャリアアグリゲーションにおいて、同じ周波数バンド中の二個以上の非連続ＣＣが集約される。バンド間キャリアアグリゲーションにおいて、異なる周波数バンド中の二個以上の非連続ＣＣが集約される。
【０００５】
Ｒｅｌ−１１ ＣＡ強化作業項目（ＲＰ−１１０４５１）において、バンド間ＣＡをサポートすることが同意されたので、異なるＴＤＤ構成を有する異なるバンド中の複数のＣＣが集約される。バンド間ＣＡの目的は、フレキシブルなアグリゲーションをサポートして、ＤＬデータスループットを増強し、ＵＬ伝送電力効率を改善することである。したがって、異なるＴＤＤ構成を有するキャリアアグリゲーション上の潜在的問題を調査し、関連するソリューションが提案される。
【発明の概要】
【発明が解決しようとする課題】
【０００６】
異なるＴＤＤ構成を有するキャリアアグリゲーションをサポートするシステムと方法が提案される。
【課題を解決するための手段】
【０００７】
第一実施形態において、対応する装置構造が説明される。第二実施形態において、アグリゲーション制限が討論される。第三実施形態において、ＤＬ／ＵＬ重複サブフレーム中の複数のコンポーネントキャリア上の送受信メカニズムが提案される。同時ＤＬ／ＵＬ送受信にとって、バンド組み合わせ指示方法が提案され、ＨＡＲＱフィードバックメカニズムが提案される。非同時ＤＬ／ＵＬ送受信にとって、送受信構成方法が提案され、同じＨＡＲＱフィードバックメカニズムが提案される。第四実施形態において、ＣＱＩ／ＲＬＭ／ＲＲＭ測定メカニズムが提案される。第五実施形態において、ＵＥ能力シグナリングメカニズムが提案される。
【０００８】
提案される方法の目的は、フレキシブルなアグリゲーションをサポートし、ＤＬデータスループットを増強し、ＵＬ伝送電力効率を改善することである。まず、異なるバンド構成上のフレキシブルなアグリゲーションをサポートすることが望まれる。異なるＴＤＤ構成が用いられて、ＴＤ−ＳＣＤＭＡとＴＤ−ＬＴＥの共存をサポートし、別のバンド上で、ＴＤ−ＬＴＥに対し、制限を取り入れることがない。たとえば、オペレータは、既に、バンドｘで、ＴＤ−ＳＣＤＭＡを応用すると共に、オペレータは、同じバンドで、ＴＤ−ＬＴＥが応用したい。二システム間の干渉を考慮することにより、バンドｘ上のＴＤ−ＬＴＥ中のＴＤＤ構成は、ＴＤ−ＳＣＤＭＡの構成、たとえば、ＴＤＤ構成２とマッチすべきである。キャリアアグリゲーション中の異なるＴＤＤ構成がサポートされない場合、バンドｘ中のＴＤ−ＬＴＥを集約するバンドｙのＴＤ−ＬＴＥは、かなり限られたＴＤＤ構成２だけを用いることができる。次に、フレキシブルなアグリゲーションにより、高い周波数バンドＤＬは低周波数バンドＵＬと集約し、これにより、ＤＬデータスループットが増強できるだけでなく、ＵＬ伝送電力がより効果的になる。たとえば、高い周波数バンド（たとえば、２．４ＧＨｚ）において、さらに多くのＤＬサブフレームを有するＴＤＤ構成が形成される。一方、低周波数バンド（たとえば、７００ＭＨｚ）において、さらに多くのＵＬサブフレームを有するＴＤＤ構成が形成される。
【０００９】
他の実施の形態および利点が以下の詳細な説明に述べられる。この概要は、本発明を定めるものではない。本発明は請求項によって定められる。
【図面の簡単な説明】
【００１０】
添付の図面は、本発明の実施の形態を説明しており、同一の番号は同一の構成要素を示している。
【図１】図１は、一実施形態によるキャリアアグリゲーション中の異なるＴＤＤ構成をサポートするシステムと方法を示す図である。
【図２Ａ】図２Ａは、一実施形態によるユーザー装置のブロック図である。
【図２Ｂ】図２Ｂは、図２Ａ同様に一実施形態によるユーザー装置のブロック図である。
【図３】図３は、ＬＴＥ／ＬＴＥ−Ａシステム中のＴＤＤモードアップリンク−ダウンリンク構成を示す図である。
【図４】図４は、アグリゲーション制限下のキャリアアグリゲーションの例を示す図である。
【図５】図５は、アグリゲーション制限がないキャリアアグリゲーションの例を示す図である。
【図６Ａ】図６Ａは、異なるＴＤＤ構成を有する複数のＣＣの重複ＤＬとＵＬサブフレーム中の同時ＤＬ受信とＵＬ伝送を示す図である。
【図６Ｂ】図６Ｂは、同時ＵＬ伝送からのＤＬ受信への干渉を示す図である。
【図７】図７は、同時ＤＬ／ＵＬ送受信のバンド組み合わせを指示する具体例を示す図である。
【図８】図８は、ＬＴＥ／ＬＴＥ−Ａシステム中のＴＤＤモードＨＡＲＱフィードバックタイムテーブルである。.
【図９】図９は、同時ＤＬ／ＵＬ送受信中のＨＡＲＱフィードバックの第一方法を示す図である。
【図１０】図１０は、同時ＤＬ／ＵＬ送受信中のＨＡＲＱフィードバックの別の方法を示す図である。
【図１１】図１１は、同時ＤＬ／ＵＬ送受信中のＨＡＲＱフィードバックの第五方法を示す図である。
【図１２】図１２は、ＳＣＥＬＬが、ＴＤＤ構成０時の同時ＤＬ／ＵＬ送受信を採用するＨＡＲＱフィードバックタイミング表の第一例を示す図である。
【図１３】図１３は、ＳＣＥＬＬが、ＴＤＤ構成１時の同時ＤＬ／ＵＬ送受信を採用するＨＡＲＱフィードバックタイミング表の第二例を示す図である。
【図１４】図１４は、ＳＣＥＬＬが、ＴＤＤ構成２時の同時ＤＬ／ＵＬ送受信を採用するＨＡＲＱフィードバックタイミング表の第三例を示す図である。
【図１５】図１５は、ＳＣＥＬＬが、ＴＤＤ構成３時の同時ＤＬ／ＵＬ送受信を採用するＨＡＲＱフィードバックタイミング表の第四例を示す図である。
【図１６】図１６は、ＳＣＥＬＬが、ＴＤＤ構成４時の同時ＤＬ／ＵＬ送受信を採用するＨＡＲＱフィードバックタイミング表の第五例を示す図である。
【図１７】図１７は、ＳＣＥＬＬが、ＴＤＤ構成５時の同時ＤＬ／ＵＬ送受信を採用するＨＡＲＱフィードバックタイミング表の第六例を示す図である。
【図１８】図１８は、ＳＣＥＬＬが、ＴＤＤ構成６時の同時ＤＬ／ＵＬ送受信を採用するＨＡＲＱフィードバックタイミング表の第七例を示す図である。
【図１９】図１９は、同時ＤＬ／ＵＬ送受信におけるＨＡＲＱフィードバックの第七方法（方法＃７）を示す図である。
【図２０】図２０は、非同時ＤＬ／ＵＬ送受信送受信構成を示す図である。
【図２１】図２１は、非同時ＤＬ／ＵＬ送受信の送受信構成の例を示す図である。
【図２２】図２２は、非同時ＤＬ／ＵＬ送受信におけるＨＡＲＱフィードバック問題を示す図である。
【図２３】図２３は、異なるＴＤＤ構成を有するキャリアアグリゲーションをサポートするＣＱＩ／ＲＬＭ／ＲＲＭ測定の方法を説明する図である。
【図２４】図２４は、ＳＩＢ１メッセージで放送されるＴＤＤ−設定情報素子を示す図である。
【図２５】図２５は、異なるＴＤＤ構成を有するキャリアアグリゲーションをサポートするＵＥ能力シグナリングを示す図である。
【発明を実施するための形態】
【００１１】
本発明の実施形態について詳細に述べる。その例は添付図面に示されている。
図１は、本発明の一実施形態によるキャリアアグリゲーションにおける異なるＴＤＤ構成をサポートするシステムと方法を説明する。説明目的のため、開示される実施例は、３ＧＰＰ ＬＴＥプロトコルに従って動作する。無線通信システム１００は、ｅＮｏｄｅＢ（ｅＮＢ）１０１とユーザー装置（ＵＥ）１０２を含み、複数のコンポーネントキャリア（ＣＣ）上のキャリアアグリゲーション（ＣＡ）をサポートする。図１の例において、ＵＥ１０２に、プライマリーコンポーネントキャリアＣＣ１上で、プライマリーセル（ＰＣＥＬＬ）を構成し、および、ＵＥ１０２に、セカンダリーコンポーネントキャリアＣＣ２上で、セカンダリーセル（ＳＣＥＬＬ）を構成する。本発明の一実施形態で、異なるＴＤＤ構成を有するＴＤＤモードは、異なるＣＣをサポートして、キャリアアグリゲーションを実行する。たとえば、ＰＣＥＬＬは第一ＴＤＤ構成Ａを採用し、ＳＣＥＬＬは第二ＴＤＤ構成Ｂを採用する。
【００１２】
無線通信システム１００において、キャリアアグリゲーション（たとえば、ボックス１１１）は、時分割二重（ＴＤＤ）モード（たとえば、ボックス１１２）、または、周波数分割双方向（ＦＤＤ）モード（たとえば、ボックス１１３）でサポートされる。ＴＤＤモードにとって、キャリアアグリゲーションは、同じＴＤＤ構成（たとえば、ボックス１１４）、または、異なるＴＤＤ構成（たとえば、ボックス１１５）でサポートされる。異なるＴＤＤ構成を有するキャリアアグリゲーションは、本発明の焦点である。本発明は、特に、異なる周波数バンド上の二個以上の非連続ＣＣが集約されるバンド間キャリアアグリゲーション中の５個の異なる問題が考慮される。
【００１３】
ボックス１２１は、物理装置構造の第一問題を示す。ボックス１２２は、アグリゲーション制限の第二問題を示す。ボックス１２３は、送受信メカニズムの第三問題を示す。ボックス１２４は、ＣＱＩ／ＲＬＭ／ＲＲＭ測定の第四問題を示す。最後に、ボックス１２５は、能力シグナリングの第五問題を示す。送受信メカニズムにとって、同時ＤＬ／ＵＬ送受信（たとえば、ボックス１３１）と非同時ＤＬ／ＵＬ送受信（たとえば、ボックス１３２）両方が考慮される。さらに、同時ＤＬ／ＵＬ送受信にとって、バンド組み合わせ指示（たとえば、ボックス１４１）とＨＡＲＱフィードバックメカニズム（たとえば、ボックス１４２）の問題が考慮される。同様に、非同時ＤＬ／ＵＬ送受信にとって、送受信構成（たとえば、ボックス１４３）とＨＡＲＱフィードバックメカニズム（たとえば、ボックス１４４）の問題が考慮される。以下で、各考慮されべき問題と関係するソリューションが討論される。
【００１４】
（１）装置
まず、異なるＴＤＤ構成を有するキャリアアグリゲーションをサポートするため、ＵＥは、複数の無線周波数（ＲＦ）トランシーバモジュールを配備する必要がある。たとえば、ＵＥは、二個ＲＦトランシーバモジュールを備えて、異なるＴＤＤ構成を有する二個のコンポーネントキャリアの集約をサポートし、各ＲＦトランシーバモジュールは、対応するＴＤＤ構成モードで動作する。バンド内キャリアアグリゲーションにおいては単一ＲＦで十分なので、複数のＲＦが、特に、バンド間キャリアアグリゲーションに必要である。バンド間ＣＡにとって、異なるＣＣのキャリア周波数は、互いの間が非常に離れており、よって、単一ＲＦトランシーバモジュールでは、異なる周波数を有する無線信号を処理するのが困難である。
【００１５】
図２Ａは、本発明の一実施形態によるユーザー装置ＵＥ２０１の一具体例のブロック図である。ＵＥ２０１は、スイッチ２０２により、第一ＲＦトランシーバモジュール２１０に結合される第一アンテナ２１１、スイッチ２０２により、第二ＲＦトランシーバモジュール２２０に結合される第二アンテナ２１２を含む。ＲＦトランシーバモジュール２１０と２２０は、それぞれ、ＳＡＷフィルタ、デュプレクサフィルタ、フィルタ、増幅器、無線周波数（ＲＦ）モジュール、および、ベースバンド（ＢＢ）モジュールを含む。二個のＲＦトランシーバモジュールは、同じ電力管理モジュール２０３をシェアする。一例において、第一ＲＦトランシーバ２１０は、第一ＴＤＤ構成を有する第一ＣＣ１の無線信号を処理し、第二ＲＦトランシーバ２２０は、第二ＴＤＤ構成を有する第二ＣＣ２の無線信号を処理する。バンド間ＣＡにとって、ＣＣ１とＣＣ２は異なる周波数バンドに属する。
【００１６】
図２Ｂは、本発明の一実施形態によるユーザー装置ＵＥ２５１の別の具体例のブロック図である。ＵＥ２５１は、スイッチ２５２により、第一ＲＦトランシーバモジュール２６０に結合される第一アンテナ２６１、および、スイッチ２５２により、第二ＲＦトランシーバモジュール２７０に結合される第二アンテナ２６２を含む。ＲＦトランシーバモジュール２６０と２７０は、それぞれ、ＳＡＷフィルタ、デュプレクサフィルタ、フィルタ、増幅器、無線周波数（ＲＦ）モジュール、および、ベースバンド（ＢＢ）モジュールを含む。二個のＲＦトランシーバモジュールは、同じ電力管理モジュール２５３をシェアする。一例において、第一ＲＦトランシーバ２２０は、第一ＴＤＤ構成を有する第一ＣＣ１の無線信号を処理し、第二ＲＦトランシーバ２７０は、第二ＴＤＤ構成を有する第二ＣＣ２の無線信号を処理する。バンド間ＣＡにとって、ＣＣ１とＣＣ２は異なる周波数バンドに属する。
【００１７】
（２）アグリゲーション制限
ＬＴＥ／ＬＴＥ−Ａシステムにおいて、７個の異なるＴＤＤ構成が提供されて、異なるＤＬ／ＵＬ伝送速度をサポートする。図３は、ＬＴＥ／ＬＴＥ−Ａシステム中のＴＤＤモードアップリンク−ダウンリンク構成を示す図である。表３０１の例において、各無線フレームは、１０個のサブフレームを含み、ＤはＤＬサブフレームを示し、ＵはＵＬサブフレームを示し、および、Ｓはスペシャルサブフレーム／スイッチポイント（ＳＰ）を示す。各ＳＰは、ＤｗＰＴＳ（ダウンリンクパイロットタイムスロット）、ＧＰ（Guard Period）、および、ＵｐＰＴＳ（アップリンクパイロットタイムスロット）を含む。ＤｗＰＴＳは、一般のダウンリンク伝送に用いられ、ＵｐＰＴＳは、アップリンクチャネル測距とランダムアクセスに用いられる。ＤｗＰＴＳとＵｐＰＴＳはＧＰにより分離され、ＧＰは、ＤＬとＵＬ伝送間の切り換えに用いられる。ＧＰの長さは、ＵＥが、時間先進アップリンク伝送に切り換えることができるように、十分に大きい必要がある。
【００１８】
７種のＴＤＤ構成において、４個（たとえば、ＴＤＤ構成０、１、２と６）のＳＰ周期性（ＳＰＰ）は５ｍｓで、別の３個（たとえば、ＴＤＤ構成３、４、５）のＳＰ周期性（ＳＰＰ）は１０ｍｓである。このほか、各ＴＤＤ構成は、所定のＤＬ、ＵＬとＳＰサブフレームが提供される。たとえば、ＴＤＤ構成０中、サブフレーム０は、ＤＬ伝送に用いるＤＬサブフレームで、サブフレーム１はＳＰサブフレームで、よって、ＤＬサブフレームは、適切に、ＵＬサブフレームに切り換えられ、サブフレーム２−４は、ＵＬ伝送に用いられるＵＬサブフレームで、サブフレーム５は別のＤＬサブフレームで、サブフレーム６は別のＳＰサブフレームで、サブフレーム７−９はＵＬサブフレームである。
【００１９】
異なるＴＤＤ構成を有する複数のＣＣが集約される時、第二問題は、アグリゲーション制限が必要がどうかである。一具体例において、アグリゲーションは、同じＳＰ周期性（ＳＰＰ）を有するＣＣ間で実行される。図４は、このようなアグリゲーション制限を有するキャリアアグリゲーションの例を示す図である。図４の例において、ＳＰＰが５ｍｓの一ＣＣ（たとえば、ＴＤＤ構成１下のＰＣＥＬＬ）は、５ｍｓのＳＰＰの別のＣＣ（たとえば、ＳＣＥＬＬ ＴＤＤ構成０）と集約する。別の具体例において、アグリゲーションは、異なるＳＰ周期性（ＳＰＰ）を有するＣＣ間で実行される。図５は、アグリゲーション制限がないキャリアアグリゲーションの例を示す図である。図５の例において、ＳＰＰが５ｍｓの一ＣＣ（たとえば、ＴＤＤ構成０下のＰＣＥＬＬ）は、ＳＰＰが１０ｍｓの別のＣＣ（たとえば、ＴＤＤ構成３下のＳＣＥＬＬ）と集約する。
【００２０】
（３）送受信メカニズム
異なるＴＤＤ構成を有するキャリアアグリゲーションをサポートするため、ＤＬ受信がＵＬ伝送と重複する。同時ＤＬ／ＵＬ送受信と非同時ＤＬ／ＵＬ送受信両方が、送受信メカニズムの第三問題を考慮する。
【００２１】
図６Ａは、ユーザー装置ＵＥ６００の異なるＴＤＤ構成を有する複数のＣＣの重複ＤＬとＵＬサブフレーム中の同時ＤＬ受信とＵＬ伝送を説明する図である。ＵＥ６００は、第一ＬＴＥ ＲＦトランシーバモジュール６０１と第二ＬＴＥＲＦトランシーバモジュール６０２を備えている。ＲＦトランシーバモジュール６０１は、ＬＴＥ無線周波数モジュールＲＦ＃１とベースバンドモジュールＢＢ＃１を有し、ＲＦトランシーバモジュール６０２は、ＬＴＥ無線周波数モジュールＲＦ＃２とベースバンドモジュールＢＢ＃２を有する。ＲＦ＃１、ＢＢ＃１、および、ＡＮＴ＃１は、第一コンポーネントキャリアＣＣ１上で、無線信号を送受信するのに用いられる。ＲＦ＃２、ＢＢ＃２、および、ＡＮＴ＃２は、第二コンポーネントキャリアＣＣ２で、無線信号の送受信するのに用いられる。図６Ａの例において、ＣＣ１はＴＤＤ構成０を有し、ＣＣ２はＴＤＤ構成１を有する。よって、重複サブフレームフレーム（たとえば、サブフレーム４とサブフレーム９）にとって、ＲＦ＃１は伝送を実行し（アップリンク）、ＲＦ＃２は同時受信（ダウンリンク）を実行する。
【００２２】
図６Ｂは、図６Ａに基づいた同時ＵＬ伝送からＤＬ受信にもたらされる干渉を説明する図である。図６Ｂの例において、ＬＴＥ発信機は、ＵＥ６００のＬＴＥ ＲＦ＃１に属し、ＬＴＥ受信機は、ＵＥ６００のＬＴＥ ＲＦ＃２に属し、共に、同じデバイスプラットフォーム（すなわち、装置内）に共同構成される。ＣＣ１上のＲＦ＃１の伝送（ＴＸ）信号は、周波数ドメインで、ＣＣ２上のＲＦ＃２の受信（ＲＸ）信号に非常に接近する。ＴＸフィルタとＲＦ＃１のＲＦ設計の不完全性により生じる帯域外（ＯＯＢ）発射とスプリアスはＲＦ＃２にとって受け入れられない。たとえば、フィルタ後（たとえば、５０ｄＢ抑制後）でも、ＲＦ＃１のＴＸ信号電力レベルは、依然として、ＲＦ＃２のＲＸ信号電力レベルより高い（フィルタ前６０ｄＢ高い）。
【００２３】
（３．１）バンド組み合わせ指示（同時ＤＬ／ＵＬ）
上の説明から分かるように、同時ＤＬ受信とＵＬ伝送が重複サブフレームフレームで許可される場合、複数のＣＣの集約バンドの帯域間隔が十分に大きくない場合、ＵＬ伝送はＤＬ受信に干渉する。この種の装置内干渉を回避するため、適切なバンド組み合わせ指示が定義されなけれなばらない。適当なバンド組み合わせを指示する各種方法がある。図７は、複数のＣＣ上の同時ＤＬ／ＵＬ送受信（たとえば、ボックス７０１により示される）のバンド組み合わせ（たとえば、ボックス７０２により示される）を指示する異なる実施例を示す図である。
【００２４】
ボックス７１１に示されるように、第一方法において、帯域間隔がＬＴＥ規格で定義される。高い周波数集約ＴＤＤバンドは高い帯域間隔が必要で、低い周波数集約ＴＤＤバンドは低い帯域間隔が必要である。一例において、７００ＭＨｚの周波数バンドで動作するＣＣ１が８００ＭＨｚで動作するＣＣ２と集約する場合、干渉を回避する必要があある帯域間隔はｘである。別の例において、２．３ＧＨｚの周波数バンドで動作するＣＣ１が２．４ＧＨｚで動作するＣＣ２と集約する場合、干渉を回避する必要がある帯域間隔はｙである。ＬＴＥ規格中、同時ＤＬ／ＵＬ送受信に対し、各種帯域間隔要求が定義される。
【００２５】
ボックス７１２に示されるように、第二方法において、帯域間隔要求は、システム情報ブロックにより放送される。たとえば、各種帯域間隔要求は、ｅＮＢにより、システム情報ブロック１（ＳＩＢ１）で放送される。ＬＴＥ規格中、異なるＴＤＤ構成を有する集約ＴＤＤ周波数バンドが明確に定義されていない場合、各ＴＤＤバンドの帯域間隔の最小要求は、ｅＮＢにより放送されなければならない。このような要求に基づいて、ＵＥは、そのフィルタ能力をネットワークに伝えることにより、この種のアグリゲーションをサポートすることができるか指示する。
【００２６】
ボックス７１３に示されるように、第三方法において、ＬＴＥ規格中、集約ＴＤＤ周波数バンドが定義される。たとえば、異なるＴＤＤ構成を有する各種周波数バンドで動作する複数のＣＣが集約される。ＬＴＥ規格は、ＴＤＤバンドｘとＴＤＤバンドｙの集約、および、ＴＤＤバンドｚとＴＤＤバンドｗの集約を定義する。ＬＴＥ規格は、全ての可能なＴＤＤバンド組み合わせの結合を示すルックアップテーブルを含む。
【００２７】
ボックス７１４に示されるように、第四方法において、各ＵＥによりサポートされる集約ＴＤＤ周波数バンドは、能力シグナリングにより、明示的に示される。同時ＵＬ伝送によりＤＬ受信に干渉を引き起こすレベルは、各ＵＥのＲＦ送受信能力（たとえば、ＲＦフィルタ能力とＲＦ設計）に関連する。よって、ＵＥは、まず、そのＲＦ送受信能力に基づいて、サポートできる集約バンドを決定する。ＵＥ能力報告において、ＵＥは、その後、ｅＮＢに、異なるＴＤＤ構成下でサポートされるＴＤＤバンドアグリゲーションを通知する。ＵＥとシステムが共にサポートされる場合、ｅＮＢは、その後、異なるＴＤＤ構成をＵＥに構成する。
【００２８】
（３．２）ＨＡＲＱフィードバックメカニズム（同時ＤＬ／ＵＬ）
異なる構成のＴＤＤ ＨＡＲＱフィードバックタイミングは、きっちりと、３ＧＰＰ規格中で定義される。一旦、ｅＮＢが、予期されるサブフレーム／スロットでで、ＡＣＫ／ＮＡＣＫを受信しなくなると、再伝送メカニズムがトリガーされる。一般に、ＨＡＲＱフィードバック情報は、物理アップリンク制御チャネル（ＰＵＣＣＨ）、または、物理アップリンク共有チャネル（ＰＵＳＣＨ）により伝送される。同時ＰＵＣＣＨとＰＵＳＣＨをサポートしないＵＥにとって,ＵＬデータが伝送される場合、ＰＵＳＣＨがＨＡＲＱフィードバックに用いられる。アップリンクグラントがない場合、ＰＵＣＣＨがＨＡＲＱフィードバックにより、一方、同時ＰＵＣＣＨとＰＵＳＣＨをサポートするＵＥにとって、ＨＡＲＱフィードバックはＰＵＣＣＨで伝送され、ＵＬデータはＰＵＳＣＨで伝送される。
【００２９】
図８は、ＬＴＥ／ＬＴＥ−ＡシステムにおけるＴＤＤモードＨＡＲＱフィードバックタイムテーブルである。表８０１において、各アップリンクサブフレームは、対応するダウンリンクサブフレームインデックスのリストと相関し、インデックスは、どのＨＡＲＱフィードバックがｅＮＢに報告されるかを示す。関連するダウンリンクサブフレームインデックスのリストは、集合Ｋ＝｛ｋ０，ｋ１…ｋＭ−１｝により表示される。一例において、ＴＤＤ構成０にとって、アップリンクサブフレーム９は、Ｋ＝｛ｋ０＝４｝により表示されるダウンリンクサブフレームインデックスのリストと関連し、アップリンクサブフレーム９がスケジュールされて、ダウンリンクサブフレームが、アップリンクサブフレーム９の前で、４個のサブフレーム（たとえば、ダウンリンクサブフレーム５）のＨＡＲＱフィードバックを報告することを示す。別の例において、ＴＤＤ構成５にとって、アップリンクサブフレーム２は、Ｋ＝｛ｋ０＝１３，ｋ１＝１２，ｋ２＝９，ｋ３＝８，ｋ４＝７，ｋ５＝５，ｋ６＝４，ｋ７＝１１，ｋ８＝６}により示されるダウンリンクサブフレームインデックスのリストに関連し、アップリンクサブフレーム２がスケジュールされて、ダウンリンクサブフレームが、サブフレーム２の前で、それぞれ、１３，１２，９，８，７，５，４，１１と６サブフレーム（たとえば、ダウンリンクサブフレーム９，８，５，４，３，１，０と６）のＨＡＲＱフィードバックを報告することを示す。
【００３０】
Ｒｅｌ−１０ＴＤＤ ＣＡにおいて、バンド内キャリアアグリゲーションだけがサポートされる。バンド内ＣＡ内のＴＤＤ構成は同一である。ＰＣＥＬＬとＳＣＥＬＬのＨＡＲＱフィードバックは、同じサブフレームでスケジュールされ、ＰＣＥＬＬにより伝送される。しかし、Ｒｅｌ−１１ ＴＤＤ ＣＡにおいて、バンド間キャリアアグリゲーションがサポートされる。ＴＤＤ構成は、バンド間ＣＡ（たとえば、ＰＣＥＬＬはＳＣＥＬＬからの異なるＴＤＤ構成を有する）で異なる。その結果、ＰＣＥＬＬのＤＬ／ＵＬは、あるサブフレームで、ＳＣＥＬＬのＵＬ／ＤＬとオーバーラップする。よって、表８０１に示されるように、ＰＣＥＬＬのＨＡＲＱフィードバックは、ＳＣＥＬＬのＨＡＲＱフィードバックと異なるサブフレームでスケジュールされる。
【００３１】
図４を参照すると、ＰＣＥＬＬはＴＤＤ構成１を採用し、ＳＣＥＬＬはＴＤＤ構成０を採用する。サブフレーム４と９中、ＰＣＥＬＬのＤＬ受信とＳＣＥＬＬのＵＬ伝送は重複することが理解できる。これらの重複サブフレームフレームにおいて、ＨＡＲＱフィードバックが、ＳＣＥＬＬ中にあるが、ＰＣＥＬＬがＵＬリソースを有さないことが望まれる時（すなわち、ＰＣＥＬＬ中に、ＰＵＣＣＨ／ＰＵＳＣＨがない）、衝突が発生する。たとえば、ＳＣＥＬＬのサブフレーム４中でＨＡＲＱが予期される（アップリンク）。しかし、ＰＣＥＬＬのサブフレーム４はダウンリンクサブフレームなので、ＰＵＣＣＨを有さない。このほか、ＳＣＥＬＬのサブフレーム４にアップリンクデータがないので、ＳＣＥＬＬにＰＵＳＣＨがない。このような状況において、ＳＣＥＬＬ上で、ＨＡＲＱフィードバックを伝送することができない。各種方法が提案されて、上述のＳＣＥＬＬ上のＨＡＲＱフィードバック問題を解決する。
【００３２】
図９は、同時ＤＬ／ＵＬ送受信中、ＨＡＲＱフィードバックの第一方法（方法＃１）を示す図である。方法＃１は、ＰＣＥＬＬとＳＣＥＬＬのＴＤＤ構成の制限された結合を採用する。ＰＣＥＬＬ−ＳＣＥＬＬ ＴＤＤ構成結合が制限されて、ＳＣＥＬＬ中のＵＬサブフレームインデックスの集合は、いつも、ＰＣＥＬＬ中のＵＬサブフレームインデックスの集合のサブセットである。このほか、図８中のＴＤＤ ＨＡＲＱフィードバックタイムテーブル８０１によると、ＳＣＥＬＬ中のＵＬサブフレームインデックスの集合は、いつも、ＨＡＲＱフィードバックを実行するＰＣＥＬＬ中のＵＬサブフレームインデックスの集合のサブセットである。その結果、ＰＣＥＬＬは、いつも、ＳＣＥＬＬ ＨＡＲＱフィードバックのＵＬリソースを有するので、ＳＣＥＬＬ ＨＡＲＱタイミングは、ＳＣＥＬＬ ＳＩＢ１ ＨＡＲＱタイミングに続く。
【００３３】
図９中の表９０１は、有効なＰＣＥＬＬ−ＳＣＥＬＬ ＴＤＤ構成結合をリストである。“ＹＥＳ”で示される各ボックスは、有効なＰＣＥＬＬ−ＳＣＥＬＬ ＴＤＤ構成結合を示す。たとえば、ＰＣＥＬＬがＴＤＤ構成０を有する場合、ＳＣＥＬＬに有効なＴＤＤ構成は、０，２と５、ＴＤＤ構成１，３，４と６は無効である。図３中の表３０１によると、ＰＣＥＬＬ中のＵＬサブフレームインデックスの集合は、｛２，３，４，７，８，９｝である。図８中の表８０１によると、ＨＡＲＱフィードバックに用いられるＰＣＥＬＬ中のＵＬサブフレームインデックスの集合は｛２，４，７，９｝である。ＴＤＤ構成１を有するＳＣＥＬＬにとって、ＵＬサブフレームインデックスの集合は｛２，３，７，８｝で、｛２，４，７，９}のサブセットではなく、よって、有効な結合ではない。ＴＤＤ構成２を有するＳＣＥＬＬにとって、ＵＬサブフレームインデックスの集合は｛２，７}で、｛２，４，７，９｝のサブセットであり、よって、有効な結合である。方法＃１の長所は、Ｒｅｌ−１１に対し簡単に修正して、ＨＡＲＱフィードバック衝突を回避することである。しかし、制限は、６０％の全ての可能なＰＣＥＬＬ−ＳＣＥＬＬ結合を排除し、システムはあまりフレキシブルではない。
【００３４】
図１０は、同時ＤＬ／ＵＬ送受信中、ＨＡＲＱフィードバックの追加方法（たとえば、方法＃２と方法＃３）を示す図である。方法＃２は、スマートスケジューリングを採用し、ＰＣＥＬＬが、ＳＣＥＬＬ ＨＡＲＱフィードバックに用いられる対応するＵＬリソースを有する場合、および、有する場合だけ、ＳＣＥＬＬ ＤＬリソースはｅＮＢによりスケジュールされる。そうでなければ、ＳＣＥＬＬ上のＤＬリソースは、割り当てられない。図１０中の表１００１は、このようなスマートスケジューリングの一例を示す。図１０の例において、ＰＣＥＬＬはＴＤＤ構成１を有し、ＳＣＥＬＬはＴＤＤ構成０を有する。図８中のＨＡＲＱフィードバックタイムテーブル８０１によると、ＳＣＥＬＬは、ＵＬサブフレーム４で、ＤＬサブフレーム０のＨＡＲＱフィードバックを伝送する必要がある（たとえば、サブフレーム０はＤＬサブフレームで、ＵＬサブフレーム４の前で、４個のサブフレームにある）。同様に、ＵＬサブフレーム９中、ＨＡＲＱフィードバックがＤＬサブフレーム５に伝送される。しかし、対応するＰＣＥＬＬサブフレーム４とサブフレーム９は、ダウンリンクサブフレームで、且つ、ＨＡＲＱフィードバック伝送に用いるＵＬリソースがない。よって、スマートスケジューリングを採用し、ＤＬサブフレーム０とサブフレーム５のＳＣＥＬＬ ＤＬリソースがスケジュールされない。その結果、ＵＬサブフレーム４とサブフレーム９中、ＨＡＲＱフィードバックを伝送する必要がない。
【００３５】
方法＃２Aは、上述のスマートスケジューリングの変化例を示し、ｅＮＢは、いつも、ＰＣＥＬＬがＤＬにあり、ＳＣＥＬＬがＵＬにあり、且つ、ＳＣＥＬＬのＨＡＲＱフィードバックが伝送されなければならないＤＬ／ＵＬ重複サブフレーム中で、ＳＣＥＬＬのＵＬグラントに対しスケジュールする。図１０中の表１００１はまた、このようなスマートスケジューリングの一例を示す。方法＃２で説明したように、ＳＣＥＬＬは、サブフレーム４とサブフレーム９で、ＨＡＲＱフィードバックを伝送するようにスケジュールされる。しかし、対応するＰＣＥＬＬサブフレーム４とサブフレーム９は、ＨＡＲＱフィードバック伝送に用いるＵＬリソースがない。よって、スマートスケジューリングを採用し、ｅＮＢは、常に、サブフレーム４とサブフレーム９で、ＳＣＥＬＬにＵＬグラントをスケジュールして、ＳＣＥＬＬのＨＡＲＱフィードバックが伝送される（たとえば、ＨＡＲＱ ＡＣＫ／ＮＡＣＫピギーバックを有するＰＵＳＣＨにより）。
【００３６】
一般に、ＰＣＥＬＬが、ＳＣＥＬＬ上で、ＨＡＲＱフィードバックに用いるＵＬリソースがない場合、ＳＣＥＬＬ上のＨＡＲＱフィードバックは、ＳＣＥＬＬ上で伝送される。これは、同時ＤＬ／ＵＬ送受信のＨＡＲＱフィードバックの方法＃３となる。たとえば、ＨＡＲＱフィードバックは、ＳＣＥＬＬのＰＵＣＣＨにより伝送される。ひとつ以上のアクティブＳＣＥＬＬがあるとき、優先されるたった一個のＳＣＥＬＬが、ＨＡＲＱフィードバックに用いられる。優先順位は、キャリアインデックスフィールド（ＣＩＦ）（たとえば、少ないＣＩＦを有するコンポーネントキャリアは高い優先度を維持する）、および／または、ＲＲＣ構成（たとえば、ＲＲＣシグナリングにより決定される優先順序）により決定される。方法＃３の長所は、ＴＤＤ構成のフレキシブルな結合で、且つ、ＤＬスループットの効率に影響がない。しかし、ｅＮＢは、そのアクティブ構成を検査することにより、端子が、ＰＣＥＬＬ、または、ＳＣＥＬＬにより、ＨＡＲＱフィードバックを伝送するかを確定する必要がある。
【００３７】
同時ＤＬ／ＵＬ送受信のＨＡＲＱフィードバックの第四方法（方法＃４）は、対応するセルで、ＨＡＲＱフィードバックを伝送する。つまり、ＰＣＥＬＬのＨＡＲＱフィードバックは、ＰＣＥＬＬで伝送され、ＳＣＥＬＬのＨＡＲＱフィードバックは、同じＳＣＥＬＬで伝送される。それを実現するために、異なるコンポーネントキャリアに、ＨＡＲＱフィードバックに用いる並行ＰＵＣＣＨがある。方法＃４は、ＰＣＥＬＬ−ＳＣＥＬＬ ＴＤＤ構成結合の高いフレキシブル性（たとえば、あらゆるＴＤＤ構成結合が可能）を提供し、且つ、ＤＬリソース割り当ての効率に影響しない。
【００３８】
図１１は、同時ＤＬ／ＵＬ送受信におけるＨＡＲＱフィードバックの第五方法（方法＃５）を示す図である。方法＃５において、ＰＣＥＬＬがＴＤＤ構成０に構成される時、サブフレーム３と８で、ＨＡＲＱフィードバック伝送が許可され、サブフレーム３と８は、本来は、ＨＡＲＱフィードバックリソースがない時のＵＬ伝送に指定される。図１１中の表１１０１に示されるように、ＴＤＤ構成０の元のＨＡＲＱタイムテーブルにおいて、サブフレーム３と８で、ＨＡＲＱフィードバックがスケジュールされない。ＴＤＤ構成０の新しいＨＡＲＱタイムテーブル１１０２において、ＨＡＲＱフィードバック伝送は、サブフレーム３と８で許可される。この方法は、相対的に、ｅＮＢに修正を加えるのが容易である。
【００３９】
方法＃１と比較して、方法＃５の長所は、さらに多くの可能なＰＣＥＬＬ−ＳＣＥＬＬ ＴＤＤ構成結合があることである（たとえば、４０％から５０％）。図９を参照すると、“ＭＡＹＢＥ”で示される各ボックスは、方法＃１に加え、方法＃５も応用される場合だけ、有効なＰＣＥＬＬ−ＳＣＥＬＬ ＴＤＤ構成結合になることを示す。ＰＣＥＬＬがＴＤＤ構成０の場合、方法＃５が応用されるとき、ＳＣＥＬＬの全ＴＤＤ構成が有効になる。たとえば、方法＃１下で、ＰＣＥＬＬがＴＤＤ構成０の時、ＳＣＥＬＬのＴＤＤ構成１は無効である。方法＃１において、ＰＣＥＬＬ中のＨＡＲＱフィードバックに用いられるＵＬサブフレームインデックスの集合は｛２，４，７，９｝である。ＴＤＤ構成１を有するＳＣＥＬＬにとって、ＵＬサブフレームインデックスの集合は｛２，３，７，８｝で、｛２，４，７，９｝のサブセットではないので、有効なＴＤＤ結合ではない。方法＃１と方法＃５において、ＰＣＥＬＬ中のＨＡＲＱフィードバックに用いられるＵＬサブフレームインデックスの集合は、｛２，３，４，７，８，９｝になる。その結果、ＵＬサブフレームインデックス｛２，３，７，８｝の集合は、ＵＬサブフレームインデックス｛２，３，４，７，８，９｝のサブセットであり、よって、有効なＴＤＤ結合である。
【００４０】
方法＃５は、ＳＣＥＬＬに、さらに多くのＤＬリソース割り当てを許可するので、ＴＤＤ構成０がＰＣＥＬＬにより用いられる時、方法＃５も方法＃２にとって有用である。図１１の表１１０２に示されるように、ＰＣＥＬＬはＴＤＤ構成０を有し、ＳＣＥＬＬはＴＤＤ構成１を有する。元のＨＡＲＱタイムテーブルに従って、アップリンクサブフレーム８がスケジュールされて、ＳＣＥＬＬのダウンリンクサブフレーム４のＨＡＲＱフィードバックを報告する。対応するＰＣＥＬＬサブフレーム８は、ＨＡＲＱフィードバック伝送に用いるＵＬリソースを有さないので、方法＃２下で、ＤＬサブフレーム４のＳＣＥＬＬ ＤＬリソースはスケジュールされない。しかし、方法＃５下において、ＰＣＥＬＬサブフレーム８は、ＨＡＲＱフィードバックのＵＬリソースを有する。その結果、ＤＬリソースは、ＳＣＥＬＬのＤＬサブフレーム４に割り当てられる。
【００４１】
上述の方法に加え、同時ＤＬ／ＵＬ送受信のＨＡＲＱフィードバックの第六方法（方法＃６）は、新しいＳＣＥＬＬ ＵＬ ＨＡＲＱ ＡＣＫ／ＮＡＣＫリソーススケジューリングを定義する。一般に、ＳＣＥＬＬ ＨＡＲＱフィードバックは、ＰＣＥＬＬのＴＤＤ構成に基づいて、ＰＣＥＬＬのＵＬ ＨＡＲＱ ＡＣＫ／ＮＡＣＫリソース割り当てに従って、動的にスケジュールされる。方法＃６は、サブフレームn中、ＳＣＥＬＬ ＨＡＲＱフィードバックの動的割り当てに対し、二個の一般的ガイドラインを提供する。第一ガイドラインはＧ１で、ＰＣＥＬＬ中、ＤＬサブフレームの受信後、４個のサブフレーム後、対応するＨＡＲＱ ＡＣＫ／ＮＡＣＫを伝送する（すなわち、サブフレームｎ−４中のＤＬ受信）。サブフレームnのＰＣＥＬＬ中に、ＵＬ ＡＣＫ／ＮＡＣＫ伝送リソースがない場合、ガイドラインＧ２を考慮する前提下で、伝送リソースが得られるまで、伝送を遅らせる。第二ガイドラインはＧ２で、ＰＣＥＬＬ中の有用なＵＬ ＨＡＲＱ ＡＣＫ／ＮＡＣＫサブフレームに従って、均一に分配する。
【００４２】
上述のガイドラインはすでに、ＬＴＥ規格（たとえば、図８中の表８０１）にしたがって、ＰＣＥＬＬのダウンリンク関連集合インデックスに応用されているが、提案される方法＃６は異なり、方法＃６は、ＰＣＥＬＬのＵＬとＳＣＥＬＬのＤＬリソース割り当て両方を考慮すると共に、それらの間のマッピング関係の構築を試みる。複数のＳＣＥＬＬが、同じＰＣＥＬＬを有する無線リンクに属する（すなわち、２個以上のコンポーネントキャリアにより、キャリアアグリゲーションを実行する）限り、これらのガイドラインは、複数のＳＣＥＬＬにより、同時に用いられる。図１２−図１８は、上述のＰＣＥＬＬのＵＬとＳＣＥＬＬのＤＬリソース割り当て間のマッピングを説明する図である。しかし、注意すべきことは、本発明は、与えられた例に限定されない。まず、各サブフレーム中のインデックスの順序が再配置される。これは、ＨＡＲＱ−ＡＣＫ多重化の効果に影響するが、システムパフォーマンス全体に影響しない。次に、各サブフレーム間のインデックスが交換される。これは、ＳＣＥＬＬ中の対応するＤＬリソースのフィードバックタイミングに影響するが、基本的なガイドラインＧ２（さらに特に、ＰＣＥＬＬ中、フィードバック情報は、有用なＵＬ ＡＣＫ／ＮＡＣＫサブフレーム中で、均等に分配される）は、ＨＡＲＱ−ＡＣＫの荷重がフレーム間で均衡が取れるように確保する。
【００４３】
図１２は、ＳＣＥＬＬが、ＴＤＤ構成０時の同時ＤＬ／ＵＬ送受信を採用するＨＡＲＱフィードバックタイミング表の第一例を示す図である。
図１３は、ＳＣＥＬＬが、ＴＤＤ構成１時の同時ＤＬ／ＵＬ送受信を採用するＨＡＲＱフィードバックタイミング表の第二例を示す図である。
図１４は、ＳＣＥＬＬが、ＴＤＤ構成２時の同時ＤＬ／ＵＬ送受信を採用するＨＡＲＱフィードバックタイミング表の第三例を示す図である。
図１５は、ＳＣＥＬＬが、ＴＤＤ構成３時の同時ＤＬ／ＵＬ送受信を採用するＨＡＲＱフィードバックタイミング表の第四例を示す図である。
図１６は、ＳＣＥＬＬが、ＴＤＤ構成４時の同時ＤＬ／ＵＬ送受信を採用するＨＡＲＱフィードバックタイミング表の第五例を示す図である。
図１７は、ＳＣＥＬＬが、ＴＤＤ構成５時の同時ＤＬ／ＵＬ送受信を採用するＨＡＲＱフィードバックタイミング表の第六例を示す図である。
図１８は、ＳＣＥＬＬが、ＴＤＤ構成６時の同時ＤＬ／ＵＬ送受信を採用するＨＡＲＱフィードバックタイミング表の第七例を示す図である。
【００４４】
方法＃６の問題は、全ての可能なＰＣＥＬＬとＳＣＥＬＬ結合を考慮するために、大量のタイムテーブルを必要とすることである。しかし、この問題は、方法＃１と方法＃５を方法＃６に組み込むことにより解決される。図１９は、同時ＤＬ／ＵＬ送受信におけるＨＡＲＱフィードバックの第七方法（方法＃７）を示す図である。図１９中の表１９０１は、方法＃１と方法＃５を方法＃６に組み込んだ方法＃７を示す。表１９０１に示されるように、チェックマークで示される各ボックスは、方法＃１下の有効なＰＣＥＬＬ−ＳＣＥＬＬ構成結合を示し、斜線陰影の各ボックスは、方法＃５を採用する場合だけ有効なＰＣＥＬＬ−ＳＣＥＬＬ構成結合を示す。×印で示される残りのボックスは、方法＃６に応用することを示す。言い換えると、方法＃７は、方法＃６の増強版で、方法＃１と方法＃５両方が使用可能でない時、方法＃６が応用される。よって、方法＃７は、ＵＥ中に保存されるタイムテーブルの量を減少させることができる。
【００４５】
（３．３）送受信構成（非同時ＤＬ／ＵＬ）
前に示したように、異なるＴＤＤ構成を有するキャリアアグリゲーションをサポートするため、ＤＬ受信がＵＬ伝送とオーバーラップする。あるＵＥが同時ＤＬ／ＵＬ送受信をサポートし（全二重）、別のあるＵＥは、非同時ＤＬ／ＵＬ送受信（半二重）だけをサポートする。それらのＵＥにとって、非同時ＤＬ／ＵＬ送受信構成が決定される必要がある。図２０は、非同時ＤＬ／ＵＬ送受信（たとえば、ボックス２００１により示される）の異なる送受信構成（たとえば、ボックス２００２により示される）の異なる具体例を示す図である。
【００４６】
ボックス２０１１に示されるように、第一方法において、重複ＤＬ／ＵＬサブフレームにとって、ＳＣＥＬＬが、ＤＬ受信、または、ＵＬ伝送を実行するかどうかは、ＰＣＥＬＬに基づき、ＳＣＥＬＬ上の送受信が禁止される。図２１は、非同時ＤＬ／ＵＬ送受信のこのような送受信構成の例を示す図である。表２１０１の例において、ＰＣＥＬＬはＴＤＤ構成０を有し、ＳＣＥＬＬはＴＤＤ構成１を有し、および、ＵＥは、ＰＣＥＬＬのＤＬ／ＵＬ構成に従う。その結果、サブフレーム４とサブフレーム９は、ＤＬ／ＵＬ重複サブフレームなので、ＵＥは、サブフレーム４とサブフレーム９で、ダウンリンク伝送を禁止する。この方法は、余分なシグナリングが必要なく、ＳＣＥＬＬ送受信構成は、ＰＣＥＬＬ ＴＤＤ構成の変化に伴って変化する。
【００４７】
ボックス２０１２に示されるように、第二方法において、ＳＣＥＬＬのＤＬ受信、または、ＵＬ伝送は、明示的なｅＮＢ構成に基づく。この方法下で、ｅＮＢは、ＲＲＣシグナリングを用いて、明示的に、重複ＤＬ／ＵＬサブフレームで、ＤＬ受信、または、ＵＬ伝送を実行するかどうか指示する。たとえば、各フレームのＤ／Ｓ／Ｕ指示マップがｅＮＢから伝送されて、ＤＬ／ＳＰＰ／ＵＬ伝送を支持する。ＵＥは、指示に従い、衝突伝送を禁止しなければならない。ｅＮＢは、高層ＲＲＣシグナリングにより構成を変化させるので、これは半静的構成である。
【００４８】
ボックス２０１３に示されるように、第三方法において、ＳＣＥＬＬのＤＬ受信、または、ＵＬ伝送は、ｅＮＢスケジューリングに基づく。この方法下で、ｅＮＢは、動的シグナリングにより、重複ＤＬ／ＵＬサブフレーム上で、ＤＬ受信、または、ＵＬ伝送を指示する。たとえば、ｅＮＢは、物理層ＰＤＣＣＨ／ＰＤＳＣＨおよび／またはＰＵＣＣＨ／ＰＵＳＣＨ指示により、このような指示を伝送する。構成は各フレームの物理層により変化するので、これは動的構成である。
【００４９】
（３．４）ＨＡＲＱフィードバックメカニズム（非同時ＤＬ／ＵＬ）
非同時ＤＬ／ＵＬ送受信にとって、同時ＤＬ／ＵＬ送受信と同じＨＡＲＱフィードバック問題が存在する。ＵＥは、ＤＬ／ＵＬ重複サブフレームにおいて、ＰＣＥＬＬ、または、ｅＮＢの決定に従わなければならないので、ＨＡＲＱフィードバックは、各ＴＤＤ構成に定義される元のＨＡＲＱタイムテーブルに従うことができない。図２２は、非同時ＤＬ／ＵＬ送受信におけるＨＡＲＱフィードバック問題を示す図である。表２２０１において、ＰＣＥＬＬはＴＤＤ構成１を有し、ＳＣＥＬＬはＴＤＤ構成０を有し、および、ＵＥは、ＰＣＥＬＬのＤＬ／ＵＬ構成に従う。その結果、サブフレーム４とサブフレーム９は、ＤＬ／ＵＬ重複サブフレームなので、ＵＥは、サブフレーム４とサブフレーム９で、アップリンク伝送を禁止する。よって、それらのサブフレームは、元のＨＡＲＱフィードバックタイムテーブルに従って、ＨＡＲＱフィードバックにスケジュールされるので、ＳＣＥＬＬ中のＨＡＲＱフィードバックは、サブフレーム４と９に影響する。ＳＣＥＬＬのこのようなＨＡＲＱフィードバック問題を解決するため、適当な時に、上述の同時ＤＬ／ＵＬ送受信と同じ方法を応用することができる。
【００５０】
（４）ＣＱＩ／ＲＬＭ／ＲＲＭ測定
ＬＴＥ／ＬＴＥ−Ａシステムにおいて、無線資源管理（ＲＲＭ）は、一般に、測定値に依存する。よって、３ＧＰＰ中、既に、測定関連要求が定義されている。最も重要な測定態様は、有用性、精確さ、および、特定のＲＲＭ測定の複雑度を含み、それは、ＵＥ電力消費に影響する。チャネル品質インジケータ（ＣＱＩ）は、ＵＥにより実行される一種の測定で、ダウンリンクチャネル品質を指示する。無線リンクモニタリング（ＲＬＭ）は、ＵＥが実行する別のタイプの測定で、ＤＬ参照信号の測定により、ＤＬ信号品質を監視する。ＲＲＭは、さらにまた別のタイプの測定で、移動度とＳＣＥＬＬ追加／修正／釈放をサポートする。異なるＴＤＤ構成を有するキャリアアグリゲーションをサポートするため、異なるコンポーネントキャリアで、同時ＤＬとＵＬ送受信を実行し、且つ、異なるコンポーネントキャリアは互いの間で、周波数バンドが非常に接近するので、あるＤＬサブフレームは、ＵＬ伝送の影響を受ける。さらに、非同時ＤＬとＵＬ送受信のため、あるＤＬサブフレームは伝送が禁止される。よって、これらのサブフレーム上のＣＱＩ／ＲＬＭ／ＲＲＭ測定は、不正確な測定結果を招く。
【００５１】
図２３は、異なるＴＤＤ構成を有するキャリアアグリゲーションをサポートするＣＱＩ／ＲＬＭ／ＲＲＭ測定の方法を説明する図である。図２３の例において、ＵＥ２３０１とｅＮＢ２３０２は、異なるＴＤＤ構成を有するキャリアアグリゲーション下で、データ接続を構築する（工程２３１１）。工程２３１２において、ｅＮＢ２３０２は、測定設定をＵＥ２３０１に伝送する（工程２３１２）。一具体例において、測定設定は設定情報を含み、高層（たとえば、ＲＲＣ）シグナリングにより、干渉を受けるサブフレーム上のＣＱＩ／ＲＬＭ／ＲＲＭ測定を制限する。ＲＲＣシグナリングはビットマップからなり、どのサブフレームが測定を許可するかを決定するのに用いられる。一例において、新しいＲＲＣシグナリングが加えられる。別の例において、現有のＲＲＣシグナリングがＲｅｌ−１０ｅＩＣＩＣ（MeasSubframePattern 情報素子）に再利用されて、測定するサブフレームの集合を制限する。測定設定受信後、干渉を受けるＤＬサブフレームで測定を実行するように設定される時、ＵＥ２３０１は対応作業を実行する（工程２３１３）。一例において、ＵＥ２３０１は、ＤＬ受信を干渉するＵＬサブフレームで、ＵＬ伝送を放棄すると共に、ＤＬサブフレームで測定を実行する。別の例において、同一時間に、ＵＬ伝送があるかどうかにかかわらず、ＵＥ２３０１は、ＤＬサブフレームで測定を実行する。工程２３１４において、ＵＥ２３０１は、測定報告をｅＮＢ２３０２に伝送する。
【００５２】
別の具体例において、ＵＥは、所定規則により規制されて、干渉を受けるサブフレーム上のＣＱＩ／ＲＬＭ／ＲＲＭ測定を制限する。一例において、異なるコンポーネントキャリア上に、同時ＤＬとＵＬ送受信がある時、ＵＥは、干渉を受けるＤＬサブフレーム上のＲＬＭ／ＲＲＭとＣＳＩ測定の実行を許可しない。別の例において、ある特定の周波数バンド中、異なるコンポーネントキャリア上に同時ＤＬとＵＬ送受信があるとき、ＵＥは、干渉を受けるＤＬサブフレーム上のＲＬＭ／ＲＲＭとＣＳＩ測定の実行を許可しない。
【００５３】
（５）能力シグナリング
各セルのＴＤＤ構成がオペレータにより決定され、且つ、ｅＮＢからＵＥに、システム情報ブロック１（ＳＩＢ１）中で放送される。図２４は、ＳＩＢ１メッセージ２４０２で放送されるＴＤＤ−設定情報素子２４０１を示す図である。ＴＤＤ構成はオペレータにより変化させることができ、且つ、ＳＩＢ１変化、または、ＲＲＣシグナリングにより、ｅＮＢからＵＥに通知する。一例において、ハンドオーバ期間中、MobilityControlInfo情報素子は、ＴＤＤ構成シグナリングを含む。別の例において、ＴＤＤ構成シグナリングは、ＳＣＥＬＬ追加期間のRRCConnectionReconfigurationメッセージ中に含まれる。
【００５４】
異なるＴＤＤ構成をサポートするため、異なるＵＥは、異なる能力を有する。ｅＮＢに、適切に、異なるＴＤＤ構成を有するキャリアアグリゲーションを設定させるため、ＵＥは、異なるＴＤＤ構成サポートの能力を、そのサービングｅＮＢに伝える（たとえば、ＵＥ−ＥＵＴＲＡ−能力シグナリングにより）。ＵＥは、また、サポートされるバンド組み合わせで、ＴＤＤバンド結合を伝える。たとえば、ＵＥは、ＵＥ−ＥＵＴＲＡ−能力情報素子で、ＴＤＤバンド３９とバンド４０上のキャリアアグリゲーションのサポートを指示する。ＵＥとシステムが共にサポートする場合、ｅＮＢは、その後、ＵＥに、異なるＴＤＤ構成を構成する（たとえば、ＲＲＣ接続再構成により）。一例において、ｅＮＢは、ＳＩＢ１により、または、MobilityControlInfo情報素子により、ＵＥに、ＰＣＥＬＬ上のＴＤＤ構成を通知する。別の例において、ｅＮＢは、RRCConnectionReconfigurationメッセージにより、RadioResourceConfigCommonSCELL中に、異なるＴＤＤ構成を有するＳＣＥＬＬを追加／修正する。
【００５５】
図２５は、異なるＴＤＤ構成を有するキャリアアグリゲーションをサポートする能力シグナリングを示す図である。図２５の例において、ｅＮＢ２５０２は、ＵＥ能力照会メッセージをＵＥ２５０１に伝送する（工程２５１１）。その後、ＵＥ２５０１は、ＵＥ能力情報をｅＮＢ２５０２に報告する（工程２５１２）。報告されたＵＥ能力情報は、異なるＴＤＤ構成サポートとサポートされるＴＤＤバンド結合を含む。工程２５１３において、ｅＮＢ２５０２は、ＳＩＢ１、または、移動度制御情報により、ＵＥ２５０１に、ＰＣＥＬＬ中のＴＤＤ構成を通知する。工程２５１４において、ｅＮＢ２５０２は、ＲＲＣ接続再設定メッセージにより、新しいＳＣＥＬＬを追加、または、異なるＴＤＤ構成を有する現有のＳＣＥＬＬ構成を修正する。最後に、工程２５１２において、ＵＥ２５０１は、ＲＲＣ接続再設定完了メッセージをｅＮＢ２５０２に送り戻す。
【００５６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
0005728131.tif 000002
【図２Ａ】
0005728131.tif 000003
【図２Ｂ】
0005728131.tif 000004
【図３】
0005728131.tif 000005
【図４】
0005728131.tif 000006
【図５】
0005728131.tif 000007
【図６Ａ】
0005728131.tif 000008
【図６Ｂ】
0005728131.tif 000009
【図７】
0005728131.tif 000010
【図８】
0005728131.tif 000011
【図９】
0005728131.tif 000012
【図１０】
0005728131.tif 000013
【図１１】
0005728131.tif 000014
【図１２】
0005728131.tif 000015
【図１３】
0005728131.tif 000016
【図１４】
0005728131.tif 000017
【図１５】
0005728131.tif 000018
【図１６】
0005728131.tif 000019
【図１７】
0005728131.tif 000020
【図１８】
0005728131.tif 000021
【図１９】
0005728131.tif 000022
【図２０】
0005728131.tif 000023
【図２１】
0005728131.tif 000024
【図２２】
0005728131.tif 000025
【図２３】
0005728131.tif 000026
【図２４】
0005728131.tif 000027
【図２５】
0005728131.tif 000028